(57)【要約】【課題】携帯電話等に接続される無線通信モジュールであって、電話帳データのフォーマットを変換する機能をもった無線通信モジュールを提供する。【解決手段】一つの氏名に複数の電話番号が対応する第１フォーマットの電話帳データが供給されるインタフェース部３２と、インタフェース部から受けた一つの氏名に複数の電話番号が対応する第１フォーマットの電話帳データを、同一の氏名に識別子を付与して識別可能とし、一つの氏名に一つの電話番号が対応する第２フォーマットの電話帳データに変換する変換部３３と、変換された一つの氏名に一つの電話番号が対応する第２フォーマットの電話帳データを無線通信により送信する通信部３５をもつ無線通信装置。【選択図】図１
2010278529.tif 000002
【特許請求の範囲】
【請求項１】
一つの氏名に複数の電話番号が対応する第１フォーマットの電話帳データが供給されるインタフェース部と、
前記インタフェース部から受けた一つの氏名に複数の電話番号が対応する第１フォーマットの電話帳データを、同一の氏名に識別子を付与して識別可能とし、一つの氏名に一つの電話番号が対応する第２フォーマットの電話帳データに変換する変換部と、
前記変換部により変換された前記第２フォーマットの電話帳データを無線通信により送信する送信部と、を具備することを特徴とする無線通信装置。
【発明の詳細な説明】
【技術分野】
【０００１】
この発明は、携帯電話等に接続して外部装置と通信を行なう無線通信装置であって、特に電話帳データのフォーマットを変換する無線通信装置に関する。
【背景技術】
【０００２】
従来、いわゆる携帯電話は、電話帳データを記憶領域に格納しており、一人の人物に一つの電話番号が対応付けられて記憶されている。しかし、電話回線の普及により、一人の人物が自宅と会社と携帯電話というように、居所に応じて複数の電話番号を有していることが少なくない。
【０００３】
これに対して、一人の人物に複数の電話番号を対応付ける際の技術が多く知られている。特許文献１は、一人の人物に複数の電話番号を容易に対応付けることができる携帯電話機の技術情報を開示している。
【先行技術文献】
【特許文献】
【０００４】
【特許文献１】特開２００１−３５８８２３号公報
【発明の概要】
【発明が解決しようとする課題】
【０００５】
しかし、第二世代携帯電話であるＰＤＣ（Personal Digital Cellular）携帯機（ＡＲＩＢ−ＳＴＤ２７仕様）に代わって、第三世代携帯電話であるＦＯＭＡ（Freedom Of Mobile multimedia Access）携帯機（ＩＴＵ／ＩＭＴ２Ｋ仕様）を、例えば、ブルートゥース（Bluetooth（登録商標））等の無線通信機能をもった無線通信モジュールを介して、例えば、ＰＤＣ対応しかしていないカーナビ装置等の外部装置に接続する際に、拡張された電話帳データを変換して転送する場合がある。特許文献１では、このような電話帳データを変換する技術について開示していない。
【０００６】
本発明は、携帯電話等に接続される無線通信モジュールであって、電話帳データのフォーマットを変換する機能をもった無線通信装置を提供することを目的とする。
【課題を解決するための手段】
【０００７】
課題を解決する一実施形態は、
一つの氏名に複数の電話番号が対応する第１フォーマットの電話帳データが供給されるインタフェース部と、
前記インタフェース部から受けた一つの氏名に複数の電話番号が対応する第１フォーマットの電話帳データを、同一の氏名に識別子を付与して識別可能とし、一つの氏名に一つの電話番号が対応する第２フォーマットの電話帳データに変換する変換部と、
前記変換部により変換された前記第２フォーマットの電話帳データを無線通信により送信する送信部と、を具備することを特徴とする無線通信装置である。
【発明の効果】
【０００８】
ＦＯＭＡ携帯電話機等から与えられる一つの氏名に複数の電話番号が対応する次世代フォーマットの電話帳データを、携帯電話機に接続されるブルートゥース等の通信モジュール内において、一つの氏名に一つの電話番号のみ対応する従来フォーマットの電話帳データに変換する。この際に、氏名に識別情報を付与して重複認識を回避する。これにより、この通信モジュールと通信するＰＤＣ対応機器、例えばカーナビ装置内において、電話帳データを容易に扱うことが可能となる。
【図面の簡単な説明】
【０００９】
【図１】本発明の一実施形態に係る携帯電話機と無線通信モジュールとカーナビゲーション装置を含む通信システムの一例を示すシステム図。
【図２】本発明の一実施形態に係る携帯電話機と無線通信モジュールとカーナビゲーション装置を含む通信システムの一例を示す概観図。
【図３】当該携帯電話機で用いられるＰＤＣ対応フォーマットの電話帳データの一例を示す説明図。
【図４】当該無線通信モジュールにおいてＰＤＣ対応フォーマットの電話帳データをＦＯＭＡ対応フォーマットの電話帳データに変換して転送する一例を示す説明図。
【図５】当該無線通信モジュールにおいてＦＯＭＡ対応フォーマットの電話帳データをＰＤＣ対応フォーマットの電話帳データに変換する際の一例を示す説明図。
【発明を実施するための形態】
【００１０】
以下、この発明の実施の形態について図面を参照して詳細に説明する。  
図１は、本発明の一実施形態に係る携帯電話機と無線通信モジュールとカーナビゲーション装置を含む通信システムの一例を示すシステム図、図２は、同じく通信システムの一例を示す概観図である。本発明の一実施形態に係る無線通信システムは、例えば、第３世代携帯電話であるＦＯＭＡ（Freedom Of Mobile multimedia Access）携帯機である携帯電話機１０と、これに接続される例えばブルートゥース等の無線機能をもった無線通信モジュール３０と、この無線通信モジュール３０と通信を行なうＰＤＣ対応の外部装置である、例えばカーナビゲーション装置６０を有している。
【００１１】
携帯電話機１０は、ＦＯＭＡ携帯機であり、図１に示すように、全体の動作を制御する制御部１１と、音声信号をエンコードするエンコーダ１２と、エンコード信号をデコードするデコーダ１３と、基地局と通信を行なう送受信部１４と、操作部１５と、操作情報等を表示する表示部１６と、スピーカ１７と、マイクロホン１８と、電話帳データ等を格納する記憶部１９と、無線通信モジュール３０等と接続を行なうためのインタフェース部２０を有している。
【００１２】
無線通信モジュール３０は、図１に示すように、全体の動作を制御する制御部３１と、携帯電話機１０等と接続するインタフェース部３２と、電話帳データのフォーマットを変換する変換部３３と、電話帳データ等を格納する記憶部３４と、外部装置等と例えばブルートゥースの無線機能により通信を行なう通信部３５を有しているが、通信機能はブルートゥースに限定されるものではない。
【００１３】
次に、ＰＤＣ携帯電話機が接続されることを前提としたＰＤＣ対応の外部装置の例として、カーナビゲーション装置６０は、全体の動作を制御する制御部６１と、無線通信モジュール３０等と例えばブルートゥースの無線機能により通信を行なう通信部６２と、地図情報等を画像処理する画像処理部６３と、地図情報等を表示する表示部６４と、地図情報等を格納するＨＤＤ（ハードディスクドライブ）６５と、現在位置を認識するためのＧＰＳ（Global Positioning System）部６６を有している。
【００１４】
このような無線システムにおいて、図３に示すような、記憶部１９等に格納されたＰＤＣ対応の従来型のフォーマットの電話帳データは、１件あたりの情報構成からも明白なように、一つの名前とよみに一つの電話番号が対応付けられている。このような電話帳データは、例えば、上述した携帯電話機１０から上述したＰＤＣ対応の外部装置であるカーナビゲーション装置６０に転送して、カーナビゲーション装置６０において活用することが可能である。
【００１５】
しかし、図４に示すような、ＦＯＭＡ対応の一つの名前とよみに複数の電話番号が対応図けられているフォーマットの電話帳データ（ｖＯｂｊｅｃｔ方式）は、そのままＰＤＣ対応の外部装置であるカーナビゲーション装置６０に転送しても活用することができないので、ＰＤＣ対応の従来型のフォーマットの電話帳データに変換した上で転送する必要がある。
【００１６】
本発明の一実施形態においては、無線通信モジュール内に変換部３３を設けて、この電話帳データの変換処理を行なうものである。図５は、当該無線通信モジュールにおいてＦＯＭＡ対応フォーマットの電話帳データをＰＤＣ対応フォーマットの電話帳データに変換する際の一例を示す説明図である。すなわち、携帯電話機１０の記憶部１９に格納されていた『ＦＯＭＡ対応の一つの名前とよみに複数の電話番号が対応図けられているフォーマットの電話帳データ』Ｔ１は、制御部１１の制御下により読み出されインタフェース部２０を介してＵＳＢ通信で無線通信モジュール３０のインタフェース部３２へと一括して転送される。
【００１７】
転送された電話帳データＴ１は、図５に示すように、制御部３１の制御に従い、変換部３３において、記憶部３４内に設けられた送信用リングバッファに分配される。ここでステップＳ１１の電話番号Ａグループは、図３で示した方式と同等の方式で、「名前」「よみ」「電話番号」を単位とするデータとしてリングバッファの電話ＡグループＧ１に格納される。しかし、ステップＳ１２、ステップＳ１３、ステップＳ１４においては、名前の重複、よみの重複による誤認識を回避するため、例えば名前であれば“（１）、（２）、（３）…”、よみであれば“（イチ）、（ニ）、（サン）…”等の識別情報が付与されて、電話番号と共に、リングバッファの電話ＢグループＧ２、電話ＣグループＧ３、電話ＤグループＧ４に格納される。この識別情報は識別が可能であればどのようなものでもよい。このような変換処理、識別情報の付与、記憶部３４内に設けられた送信用リングバッファへの格納がリングバッファの終端まで行なわれると変換・格納処理は一旦完了し、次の電話番号グループの変換・格納処理に移行する。
【００１８】
このように送信用リングバッファに格納された電話帳データは、外部装置であるカーナビゲーション装置６０からの要求信号に応じて、制御部３１の制御下により、『ＰＤＣ対応の一つの名前とよみに一つの電話番号が対応図けられているフォーマットの電話帳データ』Ｔ２として読み出され、通信部３５によりカーナビゲーション装置６０の通信部６２へと送信される。この電話帳データＴ２は、名前やよみに識別情報が付与されているため、誤認識されることなく、カーナビゲーション装置６０においてカーナビゲーションやハンズフリーの動作の際にＰＤＣ対応のフォーマットの電話帳データとして利用することができる。
【００１９】
なお、上述した実施形態においては、電話帳フォーマットの変換処理は、無線通信モジュール３０において行なわれたが、この変換処理は、携帯電話機１０内で行なうことも、また、外部装置であるカーナビゲーション装置６０で行なうことも可能であり、同等の作用効果を生じるものである。
【００２０】
以上記載した様々な実施形態は複数同時に実施することが可能であり、これらの記載により、当業者は本発明を実現することができるが、更にこれらの実施形態の様々な変形例を思いつくことが当業者によって容易であり、発明的な能力をもたなくとも様々な実施形態へと適用することが可能である。たとえば、外部装置は、カーナビゲーション装置に限定されることなく、ＰＤＣ対応の通信可能な装置であれば利用することが可能である。従って、本発明は、開示された原理と新規な特徴に矛盾しない広範な範囲に及ぶものであり、上述した実施形態に限定されるものではない。
【符号の説明】
【００２１】
１０…携帯電話機、１１…制御部、１２…エンコーダ、１３…デコーダ、１４…送受信部、１５…操作部、１６…表示部、１７…スピーカ、１８…マイクロホン、１９…記憶部、２０…インタフェース部、３０…無線通信モジュール、３１…制御部、３２…インタフェース部、３３…変換部、３４…記憶部、３５…通信部、６０…カーナビゲーション装置、６１…制御部、６２…通信部、６３…画像処理部、６４…表示部、６５…ＨＤＤ（ハードディスクドライブ）、６６…ＧＰＳ部。
【図１】
2010278529.tif 000003
【図２】
2010278529.tif 000004
【図３】
2010278529.tif 000005
【図４】
2010278529.tif 000006
【図５】
2010278529.tif 000007